(57)【要約】【課題】  多数の従業員や、ゲストを抱える会社のような多数の入退場者を抱える場所等において、災害時に避難した在場者の安否確認及び安否情報の集計を簡易な構成で、正確、容易かつ迅速に行うことが可能な避難者確認システムを提供する。【解決手段】避難者の身体に外部から看取可能な状態で配され、避難者を特定する避難者特定情報が複数色の２次元の配列で表されたカラーバーコードと、カラーバーコードが身体に表示された複数の避難者を同時に撮影可能である撮影部３ａ、撮影部により撮影された複数のカラーバーコードから避難者特定情報を複数認識する認識部３ｂ、認識部により認識された避難者特定情報である避難者確認情報を、通信ネットワーク１２を介して出力する通信部３ｃとを備える端末装置３と、端末装置から通信ネットワークを介して出力された複数の避難者確認情報を集計する避難者情報集計サーバ６とからなる。【選択図】図１
2018097720.tif 000002
【特許請求の範囲】
【請求項１】
災害時に複数の避難者を特定する避難者確認システムであって、
前記避難者の身体に外部から看取可能な状態で配され、当該避難者を特定する避難者特定情報が複数色の２次元の配列で表されたカラーバーコードと、
前記カラーバーコードが前記身体に表示された複数の前記避難者を同時に撮影可能である撮影部、当該撮影部により撮影された複数の前記カラーバーコードから前記避難者特定情報を複数認識する認識部、当該認識部により認識された前記避難者特定情報である避難者確認情報を、通信ネットワークを介して出力する通信部とを備える端末装置と、
当該端末装置から前記通信ネットワークを介して出力された複数の前記避難者確認情報を集計する避難者情報集計サーバとからなることを特徴とする避難者確認システム。
【請求項２】
前記端末装置は、前記撮影部が、複数の前記避難者を同時に撮影する場合、前記認識部が認識した前記避難者確認情報の数を随時、前記端末装置の表示部に表示可能であることを特徴とする特徴とする請求項１に記載の避難者確認システム。
【請求項３】
前記避難者確認システムは、所定の領域内における在場者の避難場所への避難確認に用いられるものであって、さらに、前記在場者の入退場情報を格納する入退場情報データベースを備え、
前記避難者情報集計サーバは、前記入退場情報データベースに照らして、前記避難者確認情報が得られていない前記在場者の前記入退場情報を確認して出力可能であることを特徴とする請求項１又は請求項２に記載の避難者確認システム。
【請求項４】
前記避難者情報集計サーバは、通信ネットワークを介して前記端末装置に、前記避難者確認情報が得られない前記在場者の前記入退場情報を送信可能であることを特徴とする請求項３に記載の避難者確認システム。
【請求項５】
前記端末装置は、前記避難者確認情報について、前記避難者の状態を示す避難者状態情報を追加可能であることを特徴とする請求項１乃至請求項４のうち、いずれか１に記載の避難者確認システム。
【請求項６】
前記カラーバーコードは、前記避難者の被服、帽子及び／又はヘルメットに印刷及び／又は貼付されて、前記避難者の身体に外部から看取可能な状態で配されることを特徴とする請求項１乃至請求項５のうち、いずれか１に記載の避難者確認システム。
【請求項７】
前記カラーバーコードは、前記避難者の入場許可証に表示されて、前記避難者の身体に外部から看取可能な状態で配されることを特徴とする請求項１乃至請求項５のうち、いずれか１に記載の避難者確認システム。
【請求項８】
前記端末装置は携帯端末装置であることを特徴とする請求項１乃至請求項７のうち、いずれか１に記載の避難者確認システム。
【請求項９】
前記端末装置は、前記カラーバーコードを照らすことが可能な照明部を有することを特徴とする請求項１乃至請求項８のうち、いずれか１に記載の避難者確認システム。
【請求項１０】
前記端末装置はバッテリーを有し、前記通信ネットワークを構成する機器及び前記避難者情報集計サーバはバッテリー及び／又は発電機に接続されて、商用電源の停電時においても使用可能であることを特徴とする請求項１乃至請求項９のうち、いずれか１に記載の避難者確認システム。
【請求項１１】
前記避難者確認システムは、さらに、前記避難者の個人情報である避難者情報を格納する避難者情報データベースを備え、
前記避難者特定情報は、前記避難者個人情報に一意に対応する避難者を特定するための数字及び／又は文字からなる文字列であることを特徴とする請求項１乃至請求項１０のうち、いずれか１に記載の避難者確認システム。
【請求項１２】
前記端末装置は、前記避難者を撮影した箇所に関する避難者撮影箇所情報についても、通信ネットワークを介して前記避難者情報集計サーバに出力可能であり、
前記避難者確認システムは、前記避難者ごとに避難するべき場所に関する避難場所情報を格納した避難場所情報データベースをさらに備え、
前記避難者情報集計サーバは、前記避難場所情報データベースに照らして、前記避難者の前記避難者撮影箇所情報が、前記避難場所情報に一致するかを確認可能であることを特徴とする請求項１乃至請求項１１のうち、いずれか１に記載の避難者確認システム。
【発明の詳細な説明】
【技術分野】
【０００１】
本発明は、多数の従業員やゲストを抱える会社のような多数の入退場者を抱える場所等において、災害時に避難した在場者の安否確認及び安否情報の集計を簡易な構成で、正確、容易かつ迅速に行うことが可能な避難者確認システムに関する。
【背景技術】
【０００２】
昨今、自然災害の増加に相俟って、災害発生時の従業員及びゲストからなる在場者の安否を迅速に確認するための安否確認システムが提唱されている。多数の従業員及びゲストが出入りする社屋、事業所、工場等といった施設では、災害発生後に、在場者の安否確認が非常に重要であり、迅速な初動体制の確立には不可欠となっている。
【０００３】
特に、一箇所のプラントや工場に数百人から数千人の従業員及びゲストを抱える会社の防災担当者は、避難場所へ集合した個々の従業員及びゲストを把握して、負傷者や不明者等を正確に特定し、救急体制、捜索態勢を敷く等、次の対応が迅速に求められる。
【０００４】
この場合、避難場所に集合した従業員及びゲストからなる在場者（避難者）を把握する方法として、個々の避難者を一人一人確認して用紙等に記入又は従業員一覧表等にチェックしたのでは、非常に時間がかかり、不明者等の特定に支障をきたし、次の体制構築がその分遅れてしまう。
【０００５】
災害発生後の初動対応が、その後の被害の拡大等に大きな影響を与えることから、一刻も早く避難者の特定を行い、負傷者、行方不明者等の特定といった在場者の安否確認を行い、次の手を打つことが求められている。
【０００６】
例えば、これに関する技術として特許文献１には、認証端末が入退場者のＩＣカードに登録された登録情報を用いて、入退場管理の対象者の入退場記録を更新する。災害時等に第１確認部が入場の記録があって退場の記録がない不明候補対象者を抽出し、抽出された対象者の顔情報を、出口画像から取得した顔情報と照合し、不明候補対象者のうち退場を確認できない対象者を抽出する。第２確認部が抽出された対象者を安否不明者と認定する構成が開示されており、この構成により、会社内の特定の場所への入退場者の安否を確認することを可能としている。
【０００７】
また、特許文献２においては、施設内残留者の安否確認を行う、ハンディターミナルからなる携帯可能な安否確認端末であって、施設の入場者及び退出者を管理するための入退出情報を取得する第１の取得手段と、入退出情報に基づいて、施設内残留者のうち安否未確認者を含む安否確認情報を生成する生成手段と、施設内残留者の保有するＩＣカード等の情報保存媒体から、施設内残留者の安否確認を示す情報を取得する第２の取得手段とを備え、安否確認を示す情報に基づいて、安否確認情報を更新する更新手段と、安否確認情報を出力する出力手段と、蓄電手段とを有する構成が開示されている。
【先行技術文献】
【特許文献】
【０００８】
【特許文献１】特開２００６−３２３７１９号公報
【特許文献２】特開２０１５−４９６３２号公報
【発明の概要】
【発明が解決しようとする課題】
【０００９】
この場合、特許文献１では、出口画像から取得した顔情報との照合により、安否不明者を抽出するため、大規模災害時のような緊迫した状況下では、急ぎ出口から退出する必要のある避難者の顔画像を正確に撮影することは困難であり、他の避難者の陰に隠れて撮影できないような状況も想定される。
【００１０】
また、特許文献２では、ハンディターミナルにより、従業員のＩＣカードを個別に読み込む必要があり、非常に時間がかかり、迅速な安否確認の妨げとなってしまう。特に、多数の従業員を抱える会社等では、不明者等の特定に長時間を要し、次の体制構築がその分遅れてしまい、被害が拡大してしまう恐れがある。
【００１１】
そこで、本発明は、多数の従業員やゲストを抱える会社のような多数の入退場者を抱える場所等において、災害時に避難した在場者の安否確認及び安否情報の集計を簡易な構成で、正確、容易かつ迅速に行うことが可能な避難者確認システムを提供することを目的とする。
【課題を解決するための手段】
【００１２】
本発明は、災害時に複数の避難者を特定する避難者確認システムであって、前記避難者の身体に外部から看取可能な状態で配され、当該避難者を特定する避難者特定情報が複数色の２次元の配列で表されたカラーバーコードと、前記カラーバーコードが前記身体に表示された複数の前記避難者を同時に撮影可能である撮影部、当該撮影部により撮影された複数の前記カラーバーコードから前記避難者特定情報を複数認識する認識部、当該認識部により認識された前記避難者特定情報である避難者確認情報を、通信ネットワークを介して出力する通信部とを備える端末装置と、当該端末装置から前記通信ネットワークを介して出力された複数の前記避難者確認情報を集計する避難者情報集計サーバとからなることを特徴とする。
【００１３】
本発明の前記端末装置は、前記撮影部が、複数の前記避難者を同時に撮影する場合、前記認識部が認識した前記避難者確認情報の数を随時、前記端末装置の表示部に表示可能であることを特徴とする特徴とする。
【００１４】
本発明の前記避難者確認システムは、所定の領域内における在場者の避難場所への避難確認に用いられるものであって、さらに、前記在場者の入退場情報を格納する入退場情報データベースを備え、前記避難者情報集計サーバは、前記入退場情報データベースに照らして、前記避難者確認情報が得られていない前記在場者の前記入退場情報を確認して出力可能であることを特徴とする。
【００１５】
本発明の前記避難者情報集計サーバは、通信ネットワークを介して前記端末装置に、前記避難者確認情報が得られない前記在場者の前記入退場情報を送信可能であることを特徴とする。
【００１６】
本発明の前記端末装置は、前記避難者確認情報について、前記避難者の状態を示す避難者状態情報を追加可能であることを特徴とする。
【００１７】
本発明の前記カラーバーコードは、前記避難者の被服、帽子及び／又はヘルメットに印刷及び／又は貼付されて、前記避難者の身体に外部から看取可能な状態で配されることを特徴とする。
【００１８】
本発明の前記カラーバーコードは、前記避難者の入場許可証に表示されて、前記避難者の身体に外部から看取可能な状態で配されることを特徴とする。
【００１９】
本発明の前記端末装置は携帯端末装置であることを特徴とする。
【００２０】
本発明の前記端末装置は、前記カラーバーコードを照らすことが可能な照明部を有することを特徴とする。
【００２１】
本発明の前記端末装置はバッテリーを有し、前記通信ネットワークを構成する機器及び前記避難者情報集計サーバはバッテリー及び／又は発電機に接続されて、商用電源の停電時においても使用可能であることを特徴とする。
【００２２】
本発明の前記避難者確認システムは、さらに、前記避難者の個人情報である避難者情報を格納する避難者情報データベースを備え、
前記避難者特定情報は、前記避難者個人情報に一意に対応する避難者を特定するための数字及び／又は文字からなる文字列であることを特徴とする。
【００２３】
本発明の前記端末装置は、前記避難者を撮影した箇所に関する避難者撮影箇所情報についても、通信ネットワークを介して前記避難者情報集計サーバに出力可能であり、前記避難者確認システムは、前記避難者ごとに避難するべき場所に関する避難場所情報を格納した避難場所情報データベースをさらに備え、前記避難者情報集計サーバは、前記避難場所情報データベースに照らして、前記避難者の前記避難者撮影箇所情報が、前記避難場所情報に一致するかを確認可能であることを特徴とする。
【発明の効果】
【００２４】
本発明の避難者確認システムによれば、多数の従業員やゲストを抱える会社のような多数の入退場者を抱える場所等において、災害時に避難した在場者の安否確認及び安否情報の集計を簡易な構成で、正確、容易かつ迅速に行うことが可能である。
【００２５】
即ち、本発明によれば、避難者の身体に外部から看取可能な状態で配されたカラーバーコードを用いて複数の避難者を一括して瞬時に特定可能であることから、カラーバーコードを撮影した端末装置からの情報を集計することにより、多数の従業員やゲスト等を抱える会社においても、迅速かつ正確に避難者を効率よく特定することが可能であり、そのため、不明者の特定をも迅速かつ正確に行うことが可能となり、迅速に次の体制に移行することが可能である。
【００２６】
特に、避難者の身体に外部から看取可能な状態で配されたカラーバーコードを用いることから、多数の避難者を一括して瞬時に特定可能であり、個別に避難者を撮影して特定する必要がなく、かつ、カラーバーコードは、撮影する携帯端末から離れた状態でも撮影可能であり、さらには、カラーバーコードの認識は端末装置を持った撮影者及び撮影される避難者の何れもが動いている状であっても可能であることから、災害直後の混乱した状態でも撮影が容易であり、災害時の避難者確認が非常に容易である。
【００２７】
また、カラーバーコードは避難者の身体に外部から看取可能な状態で予め配され、避難者は予めカラーバーコードが身体に外部から看取可能な状態で勤務等しているため、災害発生時のような緊急時において、着の身着のまま屋外等の避難場所へ退避した場合でも、必ず、カラーバーコードを身に着けているものであり、ＩＣカードのように意図的に携行していないと使用できないものではなく、カラーバーコードを通じて避難者の特定が正確に行うことが可能となる。
【００２８】
特に、異物混入の防止等のため、落下の可能性がある物を持ち込むことが出来ない精密機械や飲食料品等の製造ラインのような環境で勤務するような場合においては、作業着等の最低限身に着ける衣服にカラーバーコードを直接印刷や、貼り付けすれば落下等を防止することが可能であり、ＩＣカードのように落下や、携行していないといった状況を回避することが可能である。
【００２９】
また、端末装置は、複数の避難者の撮影時に、認識したカラーバーコードのパターン数を随時表示可能であり、そのため、撮影者は、その数を撮影した避難者数に一致させることにより、カラーバーコードの撮影漏れを防止可能であり、正確な避難者の把握が可能である。
【００３０】
また、本発明の避難者確認システムは、そのシステムを構成する各装置が既存の汎用装置を組み合わせれば実現可能であり、特別な装置を用意することなく構成可能であり、実現が非常に容易である。
【００３１】
また、本発明の避難者確認システムは、従業員及びゲスト等といった所定の領域内における在場者の入退場情報データベースを備え、避難が確認されていない在場者の入退場情報を確認して出力可能であることから、出張、早退、外出などにより所定の領域内にいない従業員及びゲスト等を不明者から排除することが可能であり、より正確に不明者を特定することが可能である。
【００３２】
また、端末装置は、撮影された避難者が負傷している場合、避難者の状態を示す避難者状態情報として負傷している点を追加可能であり、負傷者をも容易に特定して集計が可能である。
【００３３】
また、端末装置は携帯端末装置であるため、取り回しが容易であり、混乱する災害時においても、機動的に多数の避難者を容易に撮影可能であり、カラーバーコードを用いることとも相まって、多数の避難者を一括して瞬時に特定可能であり、かつ、カラーバーコードは、撮影する携帯端末から離れた状態でも撮影可能であり、さらには、カラーバーコードの認識は携帯装置を持った撮影者及び撮影される避難者の何れもが動いている状況であっても可能であることから、災害直後の混乱した状態でも撮影が容易であり、災害時の避難者確認が非常に容易である。
【００３４】
端末装置は、カラーバーコードを照らすことが可能な照明部を備えるため、避難者の特定を、停電時等においても屋内又は屋外、さらには昼夜を問わず行うことが可能である。
【００３５】
端末装置はバッテリーを有し、通信ネットワークを構成する機器及び避難者情報集計サーバはバッテリーや発電機に接続されて、商用電源の停電時においても使用可能であるため、災害時の停電に対しても避難者確認システムを運用可能である。
【００３６】
また、避難者確認システムは、さらに、避難者の個人情報である避難者情報を格納する避難者情報データベースを備え、避難者特定情報は、避難者個人情報に一意に対応する避難者を特定するための数字及び／又は文字からなる文字列であるため、避難者の個人情報等がカラーバーコードから把握されるものではなく、平時を含め個人情報の流出を防止することも可能である。
【００３７】
また、端末装置は、避難者を撮影した箇所に関する避難者撮影箇所情報についても、通信ネットワークを介して避難者情報集計サーバに出力可能であり、避難者確認システムは、避難者ごとに避難するべき場所に関する避難場所情報を格納した避難場所情報データベースをさらに備え、
避難者情報集計サーバは、避難場所情報データベースに照らして、避難者の避難者撮影箇所情報が、避難場所情報に一致するかを確認して、一致しない場合は、その点を携帯端末から確認可能であるため、その避難者は、不明者と把握されることがなく、正確に不明者を特定することができるとともに、避難するべき場所に対応した携帯端末にその情報を出力することにより、その避難者が見当たらずに現場が混乱することを防止可能である。
【図面の簡単な説明】
【００３８】
【図１】本発明の避難者確認システムの実施形態に係る機能ブロック図である。
【図２】カラーバーコードの一例を示す図である。
【図３】端末装置の説明図であり、（ａ）は図１の携帯端末装置を示し、（ｂ）は、図１の設置型端末装置を示す図ある。
【図４】端末装置での撮影画面を示す図である。
【図５】図１の携帯端末装置の撮影直後の画面を示す図である。
【図６】図５の携帯端末装置の画面において避難者の状態を入力した後の画面を示す図である。
【図７】図６の携帯端末装置の画面において避難者情報集計サーバに避難者確認情報を送信して同期させた後の画面であり、〇〇工場第１避難集合場所に避難するべき従業員についての集計結果を示す図である。
【図８】本発明の避難者確認システムの処理を示すフローチャートである。
【図９】在場者の安否確認及び安否情報の集計結果をマップ上に重畳させて表示した状態の画面例を示す図である。
【発明を実施するための形態】
【００３９】
以下、図面を参照して、本発明による避難者確認システムを実施するための形態について説明する。
【００４０】
本発明の避難者確認システムは、避難者の身体に外部から看取可能な状態で配されたカラーバーコードを用いて複数の避難者を一括して瞬時に特定し、カラーバーコードを撮影した端末装置からの情報を集計することにより、多数の従業員及びゲスト等を抱える会社においても、迅速かつ正確に避難者を効率よく特定することを可能として、迅速に次の体制に移行することを可能とするものである。
【００４１】
［避難者確認システムの概要］
図１及び図２を参照して本発明の実施形態に係る避難者確認システムの概要を説明する。図１は、本発明の避難者確認システムの実施形態に係る構成を示す機能ブロック図である。図２は、カラーバーコードの一例を示す図である。
【００４２】
図１に示すように、避難者確認システム1は、災害時にも使用可能な無線等の通信ネットワーク１２を介して、避難者の身体に配されたカラーバーコード１７を撮影して避難者を特定するための端末装置である携帯端末装置３及び設置型端末装置５が、端末装置から送信された避難者の情報を集計する避難者情報集計サーバ６と互いに通信可能に接続されている。
【００４３】
また、避難者情報集計サーバ６は、ＬＡＮ等の通信ネットワーク１３を介して、従業員及びゲスト等の個人情報や、避難するべき場所の情報を格納する避難者情報管理装置７及び従業員及びゲスト等の入退場情報を格納する入退場情報管理装置８と互いに通信可能に接続されている。
【００４４】
また、避難者情報集計サーバ６、避難者情報管理装置７及び入退場情報管理装置８は、災害による商用電源１６の停電時においても継続使用を可能とするべく、給電ライン１５を介して予備電源９と電気的に接続されている。
【００４５】
また、予備電源は、設置型端末装置５、通信ネットワーク１２及び通信ネットワーク１３に用いられる通信機器についても給電可能に構成することができる。
【００４６】
［カラーバーコード］
まずカラーバーコードについて、図２及び図４を用いて説明する。図４は、端末装置での撮影画面を示す図である。
【００４７】
カラーバーコードはシアン、マゼンダ、イエロー、ブラック等の色のセルの配列で情報を表示する２次元コードの一種であり、各々のセルが色情報を持っているため、高速、かつ、高精度、さらには撮影者及びカラーコードが移動している場合であっても、カラーコードの認識が可能であり、この点が例えば、白黒のバーコードやＱＲコードと異なる。
【００４８】
即ち、例えば、ＱＲコードは複雑な図形を読み取るべく、正確に焦点を合わせて撮影を行うか、カメラ画面の大部分の面積を占めるように撮影して複雑な図形を特定する必要があり、そのためには静止した状態でのコードの撮影も必要となる。しかしながら、カラーバーコードであれば、形状ではなく、各々のセルの色情報さえ把握できれば、認識が可能であるため、例えば、画面の約１％以下であっても認識でき、撮影者と被写体が移動している場合や、離れた箇所からであっても撮影が可能であると同時に、複数のカラーバーコードを一括して認識することも可能である。
【００４９】
また、色の違いを判別できればよいため、曲面に貼り付けるなどコードが多少ゆがんでいても読み取ることができる。さらに、カラーバーコードの作成にあたっても、カラーバーコード作成のためのプログラムを入手すれば、あとは既存のプリンタ、印刷機等で印刷するのみで作成可能であり、専用機等を要しない。
【００５０】
本発明の避難者確認システム１において、図２及び図４に示すように、カラーバーコード１７は、会社等の従業員３３の身体、即ち、衣服、帽子、ヘルメット等に外部から看取可能な状態で配され、避難してきた従業員である避難者を特定する避難者特定情報が複数色の２次元の配列で表されている。
【００５１】
尚、カラーバーコード１７は、社員証やゲストカードのような入場許可証に印刷、貼り付け、又は入場許可証のネックストラップ内に収納等されて入場許可証に表示され、避難者の身体に外部から看取可能な状態で配されて使用されることも想定される。
【００５２】
また、会社等へ来訪したゲストについても、従業員と同様に会社等の所定の領域内の在場者として災害時に避難者となるものであり、身体に外部から看取可能な状態でカラーバーコードが配されることとなる。
【００５３】
このカラーバーコード１７は、図２に示すように、例えば、黒色で塗られた横長矩形状の下地１７ａに４つの色の四角いセルが９行３列で配されている二次元のバーコードである。このセルの４色は例えば、第１色セル１７ｂがシアン、第２色セル１７ｃがマゼンダ、第３色セル１７ｄがイエロー、第４色セル１７ｅがブラック（下地と同色）であり、これらの色の何れかに各セルが着色されてカラーバーコードが構成される。
【００５４】
例えば、図２のように、セルは４色に着色され、９行３列に構成される場合、１行で４色の９乗で２６２１４４パターンになる。すると、３行の場合、２６２１４４の３乗で１８００兆パターンとなる。さらにおパターン数を増やしたい場合は、行列や、色彩を増やせば無限大にパターンを増やすことができる。
【００５５】
このような構成からなる、複数色が２次元に配列されているカラーバーコードは、読み取りを、従来から一般的に使用されているスマートフォンやタブレットＰＣ等に搭載されたカメラや、ネットワークカメラ等の撮像手段（撮影部）と、パーソナルコンピュータとを組み合わせて行うことが可能である。
【００５６】
また、この従来から使用されている撮像手段の撮影範囲内に複数のカラーバーコードが含まれていても、従来から使用されている撮像手段とパーソナルコンピュータとで複数のカラーバーコードを一括して認識し、しかも、１秒間程度の極めて短時間のうちに精密に認識することが可能である。
【００５７】
さらに、従来から使用されている撮像手段の焦点が各セルの色を特定さえできればよいため、２〜３０ｍ程度はなれているところに配置されているカラーバーコードを撮像手段とパーソナルコンピュータとで認識することができ、かつ、撮像手段やカラーバーコードが移動している場合でもカラーバーコードの認識が可能である。
【００５８】
このカラーバーコードにおける複数色の２次元の配列によって、避難者を特定する避難者特定情報が構成され、カラーバーコードが配された避難者が特定される。例えば、従業員番号を示す場合や、従業員番号に一意に対応するカラーバーコード番号とすることも可能である。
【００５９】
［端末装置］
端末装置について、図１及び図３を用いて説明する。図３は、端末装置の説明図であり、（ａ）は図１の携帯端末装置を示し、（ｂ）は、図１の設置型端末装置を示す図ある。端末装置は、避難者の身体に配されたカラーバーコード１７を撮影して避難者を特定するものであり、携帯端末装置３及び設置型端末装置５が該当する。端末装置は、多数の避難者を迅速に特定するべく、避難所や避難集合場所のような避難場所毎等のように、複数台用意すると、より迅速な避難者の特定が可能である。
【００６０】
[携帯端末装置]
まず、携帯端末装置の構成及び機能について説明するに、スマートフォン、タブレットＰＣ等からなる携帯可能な端末装置であり、汎用のスマートフォン、タブレットＰＣ等をそのまま適用可能であり、図３（ａ）にスマートフォンを携帯端末装置３とした例を示す。携帯端末装置３は、防災担当者に予め配布される場合や、避難場所に応じて予め配置される。
【００６１】
携帯端末装置３は、図１に示すように、撮影部３ａ、認識部３ｂ、通信部３ｃ、バッテリー３ｄを備え、さらに照明部３ｅを備えることができる。
【００６２】
撮影部３ａは、カラーバーコード１７を撮影するものであり、スマートフォンやタブレットＰＣに備え付けられたカメラ等が該当し、ＵＳＢコネクタを経由して外付け可能なカメラのような構成も想定される。
【００６３】
また、撮影部３ａは、避難者を特定する避難者特定情報が複数色の２次元の配列で表されたカラーバーコードが身体に配された複数の避難者を同時に一括して撮影して、避難者特定情報を効率よく取得するため、所定の解像度を備えている。
【００６４】
認識部３ｂは、撮影部３ａにより撮影された画像にカラーバーコード１７が含まれている場合に、避難者特定情報を認識する処理を行うものであり、携帯端末装置３内のコンピュータのＣＰＵがＲＯＭ、ＲＡＭや、ハードディスク等に格納されている所定のデータを利用し、所定のコンピュータプログラムに基づいてかかる処理動作を行なうものである。具体的な例示としては、避難者確認システム１を導入するにあたって、汎用の携帯端末装置３に格納されるアプリケーションソフトウェアが該当する。
【００６５】
通信部３ｃは、携帯端末装置３の通信の送受信を担うものであって、認識部３ｂにより認識された避難者特定情報について、避難者の存在確認が取れたとして、避難者特定情報を避難者確認情報として、通信ネットワーク１２を介して避難者情報集計サーバ６に送信するものであり、また、それに加えて、避難者が負傷している場合等について、追加情報として避難者状態情報をも送信可能である。
【００６６】
また、通信部３ｃは、個々の従業員及びゲスト等の詳細な情報（氏名、従業員番号、顔写真、性別、年齢、所属、住所、勤務歴、連絡先等の避難者個人情報や、避難場所情報）や、避難者情報集計サーバ６の集計した在場者の安否確認及び安否情報集計結果等を避難者情報集計サーバ６から通信ネットワーク１２を介して受信することも可能である。
【００６７】
バッテリー３ｄは、スマートフォンやタブレットＰＣに備え付けの蓄電池であって、災害時等の商用電源停止時でも携帯端末装置３の使用を可能とするものであり、ＵＳＢコネクタや電源コネクタを介した外付けバッテリーであってもよい。
【００６８】
また、前述の如く、携帯端末装置３は照明部３ｅをさらに備えることも可能である。即ち、本発明がカラーバーコード１７を使用して避難者を特定することから、撮影部３ａ及び認識部３ｂにおいては、商用電源が停電した状態では、屋内や屋外の照明設備は機能しておらず、屋内である場合や、屋外でも夜間の場合においては、カラーバーコードの読み取りが困難となる場合があり、ＬＥＤライト等のカラーバーコードを照らす手段たる照明部３ｅにより、カラーバーコード１７の読み取りを担保するものである。
【００６９】
この場合、照明部３ｅは、スマートフォンやタブレットＰＣに予め備えられた撮影用ライトである場合や、ＵＳＢコネクタ等を介して外付けのＬＥＤライト等を付加してカラーバーコードを照らして撮影を行うことが想定される。
【００７０】
また、携帯端末装置３は測位部３ｆをさらに備えることも可能である。この測位部３ｆはＧＰＳ信号及び／又はＷｉ−Ｆｉ（登録商標）ルータとの交信から自己の位置を検知する測位センサ等によって構成される。
【００７１】
即ち、携帯端末装置３は、避難者を撮影した箇所に関する避難者撮影箇所情報についても、通信部３ｃ及び通信ネットワーク１２を介して避難者情報集計サーバに出力可能であり、この避難者撮影箇所情報は、測位部３ｆの測位センサによって検出された位置情報から避難所や避難集合場所を割り出す場合の他、携帯端末装置３の操作者が自ら撮影箇所等を選択等して入力する場合が挙げられる。
【００７２】
[設置型端末装置]
次に、設置型端末装置の構成及び機能について説明するに、設置型端末装置５は、避難集合場所の近傍に設けられた電信柱や避難所の天井部分に平時より設置される場合や、災害時に屋外や、避難所内に適宜設置可能であり、各部を構成する個々の構成要素も既存の装置を組み合わせて実現可能である。図３（ｂ）に避難所内や避難集合場所に緊急的に設置する設置型端末装置を一例として示す。
【００７３】
設置型端末装置５は、災害時に備え、避難所内に予め設置されたり、災害発生に応じて保管場所から避難集合場所等に即時設置され、通信ネットワーク１２を介して避難者情報集計サーバ６側から避難者情報集計サーバ６の運用者や、設置型端末装置５の操作者である防災担当者等によって遠隔操作される。
【００７４】
設置型端末装置５は、携帯端末装置３と同様に、図１に示すように、撮影部５ａ、認識部５ｂ、通信部５ｃ、バッテリー５ｄを備え、さらに照明部５ｅや、音声入出力部５ｆを備えることができる。
【００７５】
撮影部５ａは、カラーバーコード１７を撮影するものであり、ネットワークカメラを利用することが可能であり、撮影タイミングや、撮影方向、撮影倍率等を遠隔操作可能なカメラが備えられており、このカメラが避難者情報集計サーバ６側から現場状況を確認して設置型端末装置５を操作する目となるものである。
【００７６】
また、撮影部５ａは、避難者を特定する避難者特定情報が複数色の２次元の配列で表されたカラーバーコードが身体に配された複数の避難者を同時に一括して撮影して、避難者特定情報を効率よく取得するため、所定の解像度を備えている。また、設置型端末装置５は、遠隔操作されることから、撮影部５ａが現場状況を確認して設置型端末装置５を操作する目となるものであり、それに必要な所定の解像度を備えている。
【００７７】
認識部５ｂは、撮影部５ａにより撮影された画像にカラーバーコード１７が含まれている場合に、避難者特定情報を認識する処理を行うものであり、設置型端末装置５内のコンピュータのＣＰＵがＲＯＭ、ＲＡＭやハードディスク等に格納されている所定のデータを利用し、所定のコンピュータプログラムに基づいてかかる処理動作を行なうものである。具体的な例示としては、避難者確認システム１を導入するにあたって、ハードウェアとしての設置型端末装置５に格納されるアプリケーションソフトウェアが該当する。
【００７８】
但し、撮影部５ａからの画像をそのまま通信部５ｃを介して避難者情報集計サーバ６に送り、避難者情報集計サーバ６に認識部５ａの機能を付与して、避難者特定情報を避難者情報集計サーバ６側で認識することも可能である
【００７９】
通信部５ｃは、設置型末装置５の通信の送受信を担うものであって、認識部５ｂにより認識された避難者特定情報について、避難者の存在確認が取れたとして、避難者特定情報を避難者確認情報として、通信ネットワーク１２を介して避難者情報集計サーバ６に送信するものである。又は、避難者情報集計サーバ６側に認識部５ｂを配する場合は撮影部５ａで撮影された画像をについて通信ネットワーク１２を介して避難者情報集計サーバ６に送信するものである。
【００８０】
また、通信部５ｃは、避難者情報集計サーバ６の入出力部６ａから入力された音声を受信することも可能である。
【００８１】
バッテリー５ｄは、蓄電池により災害時等の商用電源停止時でも設置型端末装置５の使用を可能とするものでり、設置型端末装置５の各部に給電を行い災害時の継続使用を担保する。さらに、バッテリー５ｄに対しては、図３（ｂ）に示すようなソーラーパネル等の発電部５ｇをＤＣ−ＤＣコンバータ（図示せず）を介して電気的に接続してバッテリー５ｄへの充電を災害時においても行うことも可能である。
【００８２】
また、発電部５ｇは、ソーラーパネルに替えて、又は追加してプロペラ型ロータと発電機からなる風力発電機等を組み合わせることも想定される。
【００８３】
また、設置型端末装置５は照明部５ｅをさらに備えることも可能である。即ち、本発明がカラーバーコード１７を使用して避難者を特定することから、撮影部５ａ及び認識部５ｂにおいては、商用電源が停電した状態では、屋内や屋外の照明設備は機能しておらず、屋内である場合や、屋外でも夜間の場合においては、カラーバーコードの読み取りが困難となる場合があり、ＬＥＤライト等のカラーバーコードを照らす手段たる照明部５ｅにより、カラーバーコード１７の読み取りを担保するものである。
【００８４】
この場合、照明部５ｅは、避難者３３のカラーバーコード１７を照らし、かつ、消費電力の少ないＬＥＤライト等を設置型端末装置５に配して、カラーバーコードを照らして撮影を行うことが想定される。
【００８５】
また、設置型端末装置５は、音声入出力部５ｆを備えている。音声入出力部５ｆは、集音マイク及びスピーカーから構成され、通信ネットワーク１２を介して避難者情報集計サーバ６の音声入出力部６ｂとの音声通話を可能とするものであり、避難者情報集計サーバ６の運用者や、設置型端末装置５の操作者である防災担当者等からの指示、避難者の整列のための協力要請や、負傷者の確認を可能とするものである。
【００８６】
また、設置型端末装置５は測位部５ｈをさらに備えることも可能である。この測位部５ｈはＧＰＳ信号及び／又はＷｉ−Ｆｉ（登録商標）ルータとの交信から自己の位置を検知する測位センサ等によって構成される。
【００８７】
即ち、設置型端末装置５は、避難者を撮影した箇所に関する避難者撮影箇所情報についても、通信部５ｃ及び通信ネットワーク１２を介して避難者情報集計サーバ６に出力可能であり、この避難者撮影箇所情報は、測位部５ｈの測位センサによって検出された位置情報から避難所や避難集合場所を割り出す場合の他、設置型端末装置５の操作者が自ら撮影箇所等を選択等して遠隔操作時に避難者情報集計サーバ６の入出力部６ａを介して入力する場合が挙げられる。
【００８８】
［避難者情報集計サーバ］
避難者情報集計サーバの構成及び機能について説明する。避難者情報集計サーバ６は、避難者確認システム１の中枢を担うものであり、コンピュータから構成され、災害時に想定される商用電源１６の停電時においても、通信ネットワーク１２及び通信ネットワーク１３を介して他の装置と通信可能となっており、避難者情報管理装置７及び入退場情報管理装置８に格納された情報を随時更新して、在場者の安否確認及び安否情報の集計等を行うとともに、集計結果の出力を行うものである。
【００８９】
図１に示すように、避難者情報集計サーバ６は、入出力部６ａ及び音声入出力部６ｂを備えている。入出力部６ａは、避難者情報集計サーバ６に接続されたキーボード、ディスプレイ、プリンタ等の入出力機器から構成され、避難者確認システム１の設定、避難者情報集計サーバ６への指令、避難者の安否情報等の集計結果を表示及び印刷等することも可能である。また、入出力部６ａを介して避難者情報管理装置７及び入退場情報管理装置８に格納された情報の出力、更新、修正等も可能である。
【００９０】
また、音声入出力部６ｂは、設置型端末装置５の音声入出力部５ｆと対をなすものであり、マイク及びスピーカーから構成され、通信ネットワーク１２を介して設置型端末装置５の音声入出力部５ｆとの音声通話を可能とするものであり、避難者情報集計サーバ６の運用者である防災担当者等が避難者に対して次の対応の指示や、避難者の整列の協力要請、負傷者確認を可能とするものである。
【００９１】
また、入出力部６ａ及び音声入力部６ｂは、通信ネットワーク１２を介して接続される操作用兼集計結果閲覧用のスマートフォンやタブレットＰＣとすることも可能である。
【００９２】
図１に示すように、避難者情報集計サーバ６は、災害時にも使用可能な無線等の通信ネットワーク１２を介して、端末装置である携帯端末装置３及び設置型端末装置５と互いに通信可能に接続されている。
【００９３】
避難者情報集計サーバ６は、携帯端末装置３の通信部３ｃと通信を行い、携帯端末装置３の認識部３ｂにより認識された避難者特定情報について、避難者の存在確認が取れたとして、避難者特定情報を避難者確認情報として、通信ネットワーク１２を介して受信するものであり、また、それに加えて、避難者が負傷している場合等について、追加情報として避難者状態情報をも受信可能であり、多数の避難者確認情報及び避難者状態情報を集計し、携帯端末装置３に集計結果を携帯端末装置３の求めに応じて、随時送信する。
【００９４】
また、避難者情報集計サーバ６は、設置型端末装置５の撮影部５ａが画像をそのまま通信部５ｃを介して避難者情報集計サーバ６に送信する場合には、避難者情報集計サーバ６が認識部５ａとして、避難者特定情報を認識して避難者確認情報として集計を行い、集計結果を携帯端末装置３の求めに応じて、随時送信する。
【００９５】
また、避難者情報集計サーバ６は、災害時にも使用可能なＬＡＮ等の通信ネットワーク１３を介して、避難者情報管理装置７及び入退場情報管理装置８と互いに通信可能に接続されている。
【００９６】
避難者情報集計サーバ６は、携帯端末装置３から避難者確認情報が送信された場合は、避難者情報管理装置７に格納された避難者情報を更新する。また、同様に避難者状態情報として負傷等の情報が追加された場合はその情報を追加する更新を行う。
【００９７】
また、避難者情報集計サーバ６は、避難者確認情報を受信していない従業員及びゲスト等の在場者については、避難が確認されていない在場者であるとして、行方不明の可能性があるため、入退場情報管理装置８に照らして、会社等の所定の領域内に現在入場していない又は既に退場しているため、会社等の所定の領域内におらず、そのために避難者確認情報を受信できないのかを確認可能であり、この確認結果を避難者情報管理装置７にフィードバックして従業員及びゲスト等の安否情報を更新可能であり、さらに、携帯端末装置３に送信することも可能である。
【００９８】
また、避難者情報集計サーバ６は、避難者情報管理装置７に格納された避難者の個人情報や、在場者の安否確認及び安否情報の集計等を携帯端末装置３からの要請に基づいて、避難者情報管理装置７から読み出して携帯端末装置３に送信することも可能である。入退場情報管理装置８に格納された情報についても同様に携帯端末装置３からの要請に基づいて、入退場情報管理装置８から読み出して携帯端末装置３に送信することも可能である。
【００９９】
また、避難者情報集計サーバ６は、避難者情報管理装置７に格納されて管理されている各在場者が避難するべき場所に関する情報（避難場所情報）に照らして、避難者の避難者撮影箇所情報が、避難場所情報に一致するかを確認可能であり、その確認結果を避難者情報管理装置７に送信して、その情報を追加する更新を行い、携帯端末装置３からの要請に基づいて、避難者情報管理装置７から読み出して携帯端末装置３に送信することも可能である。
【０１００】
［避難者情報管理装置］
避難者情報管理装置７の構成及び機能について説明する。避難者情報管理装置７は、避難者情報データベース７ａ（避難者情報ＤＢ）を備える。避難者情報データベース７ａは、避難者特定情報である避難者となる従業員の氏名、従業員番号、顔写真、性別、年齢、所属、住所、勤務歴、連絡先といった個人情報や、各従業者に一意に対応するカラーバーコードの番号（数字及び／又は文字からなる文字列を含む）が格納されて管理される。さらには、災害発生時に各従業員が避難するべき避難所や避難集合場所に関する避難場所情報が格納されている。
【０１０１】
また、在場者がゲストの場合は、氏名、所属会社、連絡先等の必要な情報が受付登録時等に避難者情報管理装置７にそれら情報が送信、格納され、管理されることとなる。また、受付時等に災害発生時の避難集合場所をゲストに指示する場合は、その避難集合場所も避難者情報管理装置７に格納されて管理されることとなる。
【０１０２】
このように、避難者情報データベース７ａ（避難者情報ＤＢ）は、避難者ごとに避難するべき場所に関する避難場所情報をも格納することから、避難場所情報データベース（避難場所情報ＤＢ）は、図１にも示すように避難者情報データベース７ａの一部を構成する。
【０１０３】
また、避難者情報データベース７ａは、災害発生時においては、端末装置から送信される避難者確認情報及び避難者状態情報を格納して、従業員及びゲストなどの各在場者の安否情報を随時格納される。また、避難した場所と推定される避難者のカラーバーコード１７が撮影された場所や、実際に避難した場所等についても格納可能である。
【０１０４】
また、避難者情報管理装置７は、避難者情報集計サーバ６の指令により、適宜、格納情報の読み出し、さらには更新及び修正を行う。
【０１０５】
［入退場情報管理装置］
入退場情報管理装置８の構成及び機能について説明する。入退場情報管理装置８は、入退場情報データベース８ａ（入退場情報ＤＢ）を備える。入退場情報データベース８ａは、避難者となる従業員及びゲスト等の在場者の入退場の状況を管理するデータベースであり、平時から在場者の入退場管理に使用されるものが想定される。会社等の所定の領域からの在場者の入退場情報が随時更新されて、各従業員及びゲストが会社等の所定の領域内に存在するのか否かの情報が格納されている。
【０１０６】
尚、従業員について、この入退場情報には、出退勤情報を利用することも可能であり、出張予定、休暇、遅刻、早退等の出退勤情報を用いて各従業員が会社内に存在するのか否かを確認することも想定される。そのため、本明細書においては、従業員については出退勤情報が入退場情報であると定義することも可能であるが、出社しているものの、一時外出というケースを考慮し、より好ましくは厳密に入退場情報に照らし合わせた方が、従業員の存否の確認精度がより向上する。
【０１０７】
また、入退場情報管理装置８は、避難者情報集計サーバ６の指令により、適宜、格納情報の読み出し、さらには更新及び修正を行うことも可能である。
【０１０８】
［予備電源］
予備電源９の構成及び機能について説明する。避難者情報集計サーバ６、避難者情報管理装置７及び入退場情報管理装置８は、災害による商用電源１６の停電時においても継続使用を可能とするべく、給電ライン１５を介して予備電源９と電気的に接続されている。
【０１０９】
予備電源９は、図１に示すように、バッテリー９ａや、発電機９ｂを備えている。バッテリー９ａは、予め逐電されているため、災害時の停電発生時から即時に給電を開始可能であり、無停電電源装置等を利用することも可能である。また、発電機９ｂはエンジン発電機等により構成されて、起動までの時間をバッテリー９ａによって補うことが想定される。
【０１１０】
また、設置型端末装置５、通信ネットワーク１２及び通信ネットワーク１３に用いられるＷｉ−Ｆｉ（登録商標）等の無線ＬＡＮルータ、無線ＬＡＮ中継器、スイッチングハブ等の通信機器についても、内蔵バッテリーや、予備電源に接続されて、商用電源の停電時においても使用可能となっている。
【０１１１】
［避難者確認システムにおける処理の流れ］
次に、本発明の避難者確認システム１の実施形態における処理の流れを、携帯端末装置３を利用した場合を例として、図１乃至図３に加え、図４乃至図９を用いて説明する。図４は、端末装置での撮影画面を示す図である。図５は、図１の携帯端末装置の撮影直後の画面を示す図である。図６は、図５の携帯端末装置の画面において避難者の状態を入力した後の画面を示す図である。図７は、図６の携帯端末装置の画面において避難者情報集計サーバに避難者確認情報を送信して同期させた後の画面であり、〇〇工場第１避難集合場所に避難するべき従業員についての集計結果を示す図である。図８は、本発明の避難者確認システムの処理を示すフローチャートである。図９は、在場者の安否確認及び安否情報の集計結果をマップ上に重畳させて表示した状態の画面例を示す図である。
【０１１２】
災害発生後、予め定められた避難所及び避難集合場所（「避難所等」とも言う）に避難してきた多数の従業員やゲスト等を避難者３３としてカラーバーコード１７が外部から看取可能な状態で携帯端末装置３の撮影部３ａにより撮影する（ステップ１：Ｓ１）。
【０１１３】
図４に示すように、携帯端末装置３の撮影部３ａで撮影されている画像が携帯端末装置３のタッチパネル式のディスプレイ３１に映し出されている。図４では１０人の避難者が撮影されてディスプレイ３１に映し出されている。
【０１１４】
１０人の避難者３３は、カラーバーコード１７が衣服、帽子又はヘルメットといった身体に外部から看取可能な状態で配されており、撮影者は、カラーバーコード１７が撮影可能なように避難者を整列させて撮影を行う。撮影部３ａによって撮影された画像内にカラーバーコード１７が含まれていると、画像内にカラーバーコード１７が含まれたタイミングで、認識部３ｂが各避難者３３の避難者特定情報を認識する処理を行う。図４の状態では、１０人分の避難者の避難者特定情報が認識部３ｂにより認識される。
【０１１５】
そのため、図４の画面右上の認識した避難者数３８が１０人と表示されている。即ち、認識された避難者数３８は、認識部３ｂがカラーバーコード１７から認識した避難者特定情報のパターン数に一致する。この認識した避難者数３８は、認識部３ｂがカラーバーコード１７から認識した避難者特定情報のパターン数に応じて随時加算更新されて表示される。
【０１１６】
撮影にあたり、撮影者たる防災担当者等は、予め撮影する避難者３３人数を所定の数に決めておくと、カラーバーコード１７の認識漏れを防止できる。即ち、毎回撮影する避難者数を一定に決めておくと、図４の画面右上の認識した避難者数３８の表示が、その撮影対象の避難者数に達しない場合はカラーバーコード１７の認識エラーとして再度撮影をやり直すことにより、避難者特定の正確性を担保可能である。
【０１１７】
そのため、認識した避難者数３８を分子のように表示し、撮影したい避難者の目標設定数（撮影者目標設定数３９である１０人）を分母の如く表示して、その数の一致を確認して撮影すると、カラーバーコード１７の認識漏れや、エラーを防止可能である。
【０１１８】
撮影者は、撮影した避難者３３の数と、認識された避難者特定情報のパターン数（特定された避難者数）が一致するか否かを確認し（Ｓ２）、一致する場合は、撮影漏れや、認識エラーがないと判断して、画面下方の撮影完了ボタン３７を押して（Ｓ３）、次のステップに移行する。一致しない場合は再度ステップ１の撮影をやり直すこととなる。
【０１１９】
撮影完了ボタン３７が押されると、携帯端末装置３の通信部３ｃが、認識部３ｂにより認識された避難者特定情報について、避難者の存在確認が取れたとして、避難者特定情報を避難者確認情報として、通信ネットワーク１２を介して避難者情報集計サーバ６に送信する（Ｓ４）。例えば、カラーバーコード１７から認識される避難者特定情報が各従業者に一意に対応するカラーバーコードの番号である場合は、このカラーバーコードの番号が避難者情報集計サーバ６に送信される。
【０１２０】
避難者確認情報を受信した避難者情報集計サーバ６は、避難者情報データベース７ａから、避難者状態情報を携帯端末装置３において入力可能とするための情報を読み出す指令を避難者情報管理装置７に送信し、それに従い必要な情報を避難者情報管理装置７から受信し、携帯端末装置３に送信する（Ｓ５）。
【０１２１】
尚、この段階で、避難者が負傷等しているかの避難者状態情報は不明であるものの、避難者確認情報のみを避難者情報データベース７ａに書き込んで更新することも可能である。
【０１２２】
例えば、上記同様にカラーバーコード１７から認識される避難者特定情報が各従業者に一意に対応するカラーバーコードの番号である場合は、どの避難者３３が負傷等しているのかを特定するのに必要な従業員の氏名や、所属情報等を、避難者情報データベース７ａから読み出す指令を避難者情報管理装置７に避難者情報集計サーバ６から送信し、それに従いそれら情報を避難者情報管理装置７から受信し、携帯端末装置３に送信する。
【０１２３】
その結果、携帯端末装置３が避難者状態情報を入力可能な画面を表示させる処理が可能となり、図５の画面の状態となる（Ｓ６）。
【０１２４】
図５の画面が表示されると、避難者特定情報が取得された避難者について、負傷しているのか等の避難者状態情報を追加可能となる。
【０１２５】
図５の表の右側の状態欄に示すように、例えば、初期設定として「無事」となっている状態情報入力ボタン５２を押すことにより、図示しない負傷や、他に軽傷、重症等の状態を選択可能な画面を表示させ、各避難者に対応した状態情報を追加可能である。例えば、負傷についてのコメントや、負傷箇所の写真を添付することが等も可能である。
【０１２６】
また、図５の表の左右中央欄においては、「従業員名・所属」の表示は、詳細情報確認ボタン５１として機能し、これを押すことにより、各避難者の個人情報を含む避難者情報の詳細情報を確認可能であり（図示せず）、怪我や心理的な状態により口がきけないような状態の避難者については、顔写真等を確認することにより、避難者を特定して負傷等の避難者状態情報を追加することが可能である。
【０１２７】
携帯端末装置３は、詳細情報確認ボタン５１が押された場合、避難者情報の詳細情報を未だ受信していない部分について避難者情報集計サーバ６に送信を要請し、避難者情報集計サーバ６は避難者情報管理装置７に避難者情報データベース７ａからの読み出しを指示して携帯端末装置３への送信を行う。
【０１２８】
図５の画面表示において、避難者状態情報が追加されると、図６の画面の状態となる。図６においては、カラーバーコード番号０００２の社員Ｂと、００１２の社員Ｌが負傷している。これは図４において左上の避難者２名が足や手を負傷して流血していることから（負傷箇所３３ａを参照）、携帯端末装置３を操作する防災担当者により入力されたものである。
【０１２９】
避難者状態情報の入力（Ｓ７）が完了した後、携帯端末装置３の操作者は、図６の画面の右上の送信・同期ボタン５３を押して（Ｓ８）、避難者確認情報及び避難者状態情報の両者を避難者情報集計サーバ６に送信する（Ｓ９）。
【０１３０】
避難者情報集計サーバ６は、避難者情報データベース７ａを更新し、それとともに、避難者情報集計サーバ６が他の端末装置から送信された従業員の安否情報を含む避難者情報データベース７ａや、入退場情報データベース８ａへの照らし合わせを行って安否情報の集計を行う（Ｓ１０）。
【０１３１】
その後、避難者情報集計サーバ６は、集計結果の携帯端末装置３への送信、集計結果の避難者情報データベース７ａへフィードバックしての更新を行う（Ｓ１１）。
【０１３２】
その集計結果の一例を図７に示す。図７においては、本来、〇〇工場第１避難集合場所に避難するべき従業員についての集計結果を表示しており、図５及び図６では携帯端末装置３の画面に表示されていなかったカラーバーコード番号０００４の社員Ｄ、０００６の社員Ｆ、０００７の社員Ｇ，０００９の社員Ｉ及び００１４の社員Ｎの計５名が追加されて表示されている。
【０１３３】
即ち、０００６の社員Ｆ及び０００９の社員Ｉは、他の端末装置によって、無事（０００６の社員Ｆ）と負傷（０００９の社員Ｉ）が確認されており、本来避難するべき〇〇工場第１避難集合場所ではなく、何らかの事情により間違った避難所である〇〇工場第３避難集合場所（０００６の社員Ｆ）及び〇〇工場第２避難集合場所（０００９の社員Ｉ）で無事と負傷が確認されている。
【０１３４】
これは、避難者情報集計サーバ６が集計にあたり、避難者情報データベース７ａから最新の情報を読み出したところ、本来、〇〇工場第１避難集合場所に避難するべき０００６の社員Ｆ及び０００９の社員Ｉが他の避難所に避難していることが既に避難者情報データベース７ａに反映されていることから、本来避難するべき避難場所情報が〇〇工場第１避難集合場所であることをキーとして、避難者確認情報及び避難者状態情報のピックアップを行ったものである。
【０１３５】
また、図７において、０００７の社員Ｇ及び００１４の社員Ｎについては、会社等の所定の領域内にはそもそもいないことを示す「社外」が表示されている。
【０１３６】
これは、避難者情報データベース７ａに照らして、本来避難するべき避難場所情報が〇〇工場第１避難所であることをキーとして、避難者確認情報及び避難者状態情報の何れもピックアップできない従業員について、入退場情報データベース８ａに照らして、その従業員が会社に現在いるはずなのかどうかを照合したところ、０００７の社員Ｇ及び００１４の社員Ｎについては社外におり、社内で行方不明となっているものではなく、社外での安否確認を要することが判明したものである。
【０１３７】
さらに、図７において、０００４の社員Ｄについては行方不明を示す「不明」の表示がなされている。これは、避難者情報データベース７ａに照らして、本来避難するべき避難場所情報が〇〇工場第１避難所であることをキーとして、避難者確認情報及び避難者状態情報の何れもピックアップできない従業員について、入退場情報データベース８ａに照らして、その従業員が会社に現在いるはずなのかどうかを照合したところ、やはり社内に存在するはずであり、他の避難場所も含め存在が確認されておらず、捜索を行う必要があることがわかる。
【０１３８】
また、従業員及びゲスト等の安否確認及び安否情報等の集計結果は、会社全体、工場等の単位、所属部署単位、避難するべき場所の単位、実際に避難してしまった場所の単位、従業員個人等、自在にその情報を出力可能であることはいうまでもない。
【０１３９】
また、例えば、図９に示すように、避難者情報集計サーバ６の集計結果を、工場内地図等に重畳させて表示することも可能であり、各避難所等における集計結果をマップに重畳させることにより、視覚的に避難状況等を確認することも可能である。
【０１４０】
避難者情報集計サーバ６による集計結果の携帯端末装置３への送信、集計結果の避難者情報データベース７ａへフィードバックしての更新（Ｓ１１）の後、このステップ１からステップ１１を行った携帯端末装置３が撮影するべき避難者が未だにいるのであれば（Ｓ１２）、撮影するべき避難者がいなくなるまでステップ１からステップ１２のフローを繰り返すこととなる。
【０１４１】
設置型端末装置５を使用した場合であっても、避難者情報集計サーバ６の入出力部６ａを用いて遠隔操作して、かつ、設置型端末装置５の音声入出力部５ｆと避難者情報集計サーバ６の音声入出力部６ｂを介して避難者と音声通話を行う点、集計結果の出力は音声通話を利用しての伝達による点、避難者情報集計サーバ６側で図５乃至図７、図９の画面表示がなされる点以外はその処理フローも同様である。
【０１４２】
この発明は、その本質的特性から逸脱することなく数多くの形式のものとして具体化することができる。よって、上述した実施形態は専ら説明上のものであり、本発明を制限するものではないことは言うまでもない。
【０１４３】
また、図１の機能ブロック図に示した機能ブロックは、本発明の避難者確認システムの機能的構成を示すものであって、具体的な実装形態を制限しない。即ち、図中の機能ブロックに対応するハードウェアが実装される必要はなく、一つのプロセッサーがプログラムを実行することで複数の機能部の機能を実現する構成とすることも勿論可能である。また、実施形態においてソフトウェアで実現される機能の一部をハードウェアで実現してもよく、さらには、ハードウェアで実現される機能の一部をソフトウェアで実現してもよい。
【符号の説明】
【０１４４】
１          避難者確認システム
３          携帯端末装置
３ａ        撮影部
３ｂ        認識部
３ｃ        通信部
３ｄ        バッテリー
３ｅ        照明部
３ｆ        測位部
５          設置型端末装置
５ａ        撮影部
５ｂ        認識部
５ｃ        通信部
５ｄ        バッテリー
５ｅ        照明部
５ｆ        音声入出力部
５ｇ        発電部（ソーラーパネル、風力発電機）
５ｈ        測位部
６          避難者情報集計サーバ
６ａ        入出力部（キーボード，ディスプレイ，プリンタ）
６ｂ        音声入出力部
７          避難者情報管理装置
７ａ        避難者情報データベース（避難者情報ＤＢ）
８          入退場情報管理装置
８ａ        入退場情報データベース（入退場情報ＤＢ）
９          予備電源
９ａ        バッテリー
９ｂ        発電機
１２        通信ネットワーク
１３        通信ネットワーク
１５        給電ライン
１６        商用電源
１７        カラーバーコード
１７ａ      下地
１７ｂ      第１色セル
１７ｃ      第２色セル
１７ｄ      第３色セル
１７ｅ      第４色セル
３１        ディスプレイ
３３        避難者（従業員、ゲスト）
３３ａ      負傷箇所
３７        撮影完了ボタン
３８        認識した避難者数
３９        撮影者目標設定数
５１        詳細情報確認ボタン
５２        状態情報入力ボタン
５３        送信・同期ボタン
【図１】
2018097720.tif 000003
【図２】
2018097720.tif 000004
【図３】
2018097720.tif 000005
【図４】
2018097720.tif 000006
【図５】
2018097720.tif 000007
【図６】
2018097720.tif 000008
【図７】
2018097720.tif 000009
【図８】
2018097720.tif 000010
【図９】
2018097720.tif 000011